(57)【特許請求の範囲】
【請求項１】
回収後の樹脂成形品を新たな樹脂成形品の原材料として再利用可能な樹脂成形品であって、
前記樹脂成型品に、その樹脂成型品の材質、グレード、色が何であるかを示す記号とともに、その樹脂成型品の樹脂材料が次回どのような用途に使用可能であるかを示す用途記号を表示した材料情報表示部を設けたことを特徴とする樹脂成型品。
【請求項２】
前記材料情報表示部に、その樹脂成型品の樹脂材料が現在までに何回使用されたかを示す使用回数記号を表示したことを特徴とする請求項１記載の樹脂成型品。
【請求項３】
前記材料情報表示部に、その樹脂成型品の樹脂材料が次回どのような用途に使用可能であるかを、現在までにおける使用回数が何回であるかによって判断できるようにするべく、前記用途記号と前記使用回数記号とを用いた用途判断基準式を表示したことを特徴とする請求項２記載の樹脂成型品。
【請求項４】
前記材料情報表示部に、その樹脂成型品の樹脂材料が次回どのような用途に使用可能であるかを、その樹脂材料の使用可能期限よって判断できるようにするべく、前記用途記号と期限を表す数値とを用いた用途判断基準式を表示したことを特徴とする請求項２記載の樹脂成型品。
【発明の詳細な説明】
【０００１】
【発明の属する技術分野】
本発明は、複写機、ファクシミリ、プリンタ、ワードプロセッサ、パーソナルコンピュータなどの事務機器あるいはテレビ、ビデオ装置などの民生機器に使用された樹脂製品ユニットを樹脂資源としてリサイクル（再利用やエネルギ回収）する樹脂成型品に関する。
【０００２】
【従来の技術】
近年、世界的な動向として、地球環境問題を考える上で従来の廃棄物処理の観点からリサイクルへと考え方が変化しつつある。また廃棄物に絡む法律も整備されつつある。このような背景に基づいて、ユーザから回収した各種機器のリサイクル（その機器を構成する製品、部品の再使用、再利用）を行う必要が生じている。ここで、再利用（再使用）とは、回収した製品、部品（以下、まとめて製品と呼ぶ）を一旦元の原料に戻し、同一または他の用途のために再成型して使うことを指す。
またリサイクルは、単に製品の再利用のみならず、ケミカルリサイクルやエナミーリカバリなどとも呼ばれる、プラスチック類を熱分解、水和（水素雰囲気下での熱分解、化学分解）等によって分解し、油化、ガス化して使用し、あるいはそのプラスチック類をそのまま燃料として使用するエネルギ回収もその概念に含まれる。
ここで樹脂製品が、その組成から見ても、上述した再利用、エネルギ回収に好適なものであることは明らかであり、特にリサイクル効率に優れた比較的大きい樹脂製品に対するリサイクルのニーズが高まっている。ここで、複写機、ファクシミリ、プリンタ、ワードプロセッサ、パーソナルコンピュータなどの事務機器や、テレビ、ビデオなどの民生機器等には、比較的大型の樹脂製品が数多く使用されている。したがって、これらの機器類に対して、資源のリサイクルの観点から特に関心が高まっている。
【０００３】
ところで、リサイクル（再利用、エネルギ回収）のために例えば、樹脂の製品が回収されると、回収業者の工場などにこの製品が運ばれ、そこで回収作業が行われる。
ここで、リサイクル対象製品の回収作業を行う上で、その回収する樹脂が現在までにどういう使われ方をしてきて、今後どういう使い方（回収した後、どのように使うか）をするかが問題となる。具体的に述べると、今後樹脂材料の再利用が多く行われるようになると思われるが、その樹脂材料がどのような状態、言い換えるとどの程度再成型されてきた部品であるかを知らないと、材料の持つ特性が損なわれたり、劣化した材料を使ってしまう危険がある。
すなわち、再利用を行う樹脂が何回再利用が行われてきたのかが分かるようにしないと、今後再利用を行う樹脂製品が増加して来たとき劣化の状態が認識できず、製品としての品質が保てなくなったり、加工時に不具合か出ることが予想される。
このような不具合を解消するために、特開平09-309110号公報記載の発明では、事務機器あるいは民生機器に使用される樹脂製品ユニットに、樹脂の種類（ＡＢＳ、ＰＳといった分類記号）およびこれが現在までに何回再利用されたものであるかを型文字などで表記するようにしている。
【０００４】
【発明が解決しようとする課題】
しかし、上記公報記載の発明では、樹脂製品ユニットに使用されている樹脂材料のグレードや色（元の色すなわち変色前、塗装前などの色）が不明確であるため、回収した樹脂製品のリサイクル時の使用可能用途が明確でない。
本発明はこのような背景に鑑みてなされたものであり、回収した樹脂製品を上記公報記載の発明よりも適切な形で再利用できるようにすることを目的とするものである。
【０００５】
【課題を解決するための手段】
この目的を達成するために本発明は、回収後の樹脂成形品を新たな樹脂成形品の原材料として再利用可能な樹脂成形品であって、前記樹脂成型品に、その樹脂成型品の材質（材料の分類）、グレード、色が何であるかを示す記号とともに、その樹脂成型品の樹脂材料が次回どのような用途に使用可能であるかを示す用途記号を表示した材料情報表示部を設けたことを特徴とする。
また本発明は、前記材料情報表示部に、その樹脂成型品の樹脂材料が現在までに何回使用されたかを示す使用回数記号を表示したことを特徴とする。
また本発明は、前記材料情報表示部に、その樹脂成型品の樹脂材料が次回どのような用途に使用可能であるかを、現在までにおける使用回数が何回であるかによって判断できるようにするべく、前記用途記号と前記使用回数記号とを用いた用途判断基準式を表示したことを特徴とする。
また本発明は、前記材料情報表示部に、その樹脂成型品の樹脂材料が次回どのような用途に使用可能であるかを、その樹脂材料の使用可能期限よって判断できるようにするべく、前記用途記号と期限を表す数値とを用いた用途判断基準式を表示したことを特徴とする。
【０００６】
【発明の実施の形態】
次に本発明の実施の形態について説明する。
図１は本発明にかかる樹脂成型品の材料情報表示部の表示例を示した平面図である。図示するように、本発明にかかる樹脂成型品には、その樹脂成型品の材質を示す材質分類記号１、グレードを示すグレード記号２、色が何であるかを示す色番号（記号）３、その樹脂成型品の樹脂材料が次回どのような部位（用途）に使用可能であるかを示す部位記号（用途記号）４が表示されている。これらの記号は、型文字すなわち金型への彫り込みによって形成（樹脂成形）されるか、印刷、スタンプ、シール貼付などの方法で表示される。
材質分類記号１は、この例ではこの樹脂材料がＰＳ樹脂であることを示している。ＡＢＳ樹脂の場合は「ＡＢＳ」と表示される。
グレード番号２および色番号３は、製品メーカで使用しているそのままの情報か、あるいは予め取り決めにより簡略化された記号を用いる。
部位記号４は、たとえば、Ｇは外装、Ｎは内部部品にリサイクル可能であることを示す。また、製品にリサイクルが難しい場合には、Ｓとし建築部材などの色を問わない製品に、Ｂは黒色の樹脂製品に使用することが可能であることを示している（図２参照）。その他、更に詳細に分類したい場合には、予め製造側とリサイクル部品回収側間で取り決めを行えば分類を増やすことが可能である。
このように、樹脂成型品に、材質分類記号１、グレード記号２、色番号３、部位記号４を付しておくことにより、回収した樹脂製品を最適な形で再利用することができるようになる。樹脂成型品は紫外線などの影響で当初の成形色から若干褪色（変色）してしまうことがあり、材質名やグレードを合わせただけでは得ようとする色にならない場合があるが、上記のように、その樹脂成型品の樹脂材料が次回どのような部位に使用可能であるかを示す部位記号４が表示されていることにより、再利用の際にどの部品の原材料に使用すれば最適であるか明確に把握できる。
【０００７】
図３〜図６に材料情報表示部の別の表示例を示す。
図３、図４の材料情報表示部には、その樹脂成型品の樹脂材料が現在までに何回使用されたかを示す使用回数記号５が表示されている。使用回数記号５から、図３の例の使用回数は１回、図４の例の使用回数は２回であることが分かる。
ここで使用回数とは、市場に製品として出荷され回収された段階での使用回数で、１はバージン材を使用したものであり今回の回収ではリサイクルされるのが１回目であることを示す、３は２度リサイクルされ今回の回収ではリサイクルされるのが３回目であることを示す。
また、図３、図４の材料情報表示部には、その樹脂成型品の樹脂材料が次回どのような部位（用途）に使用可能であるかを、現在までにおける使用回数が何回であるかによって判断できるようにするべく、部位記号４と使用回数記号９とを用いた不等式からなる用途判断基準式１０が表示されている。
図３の例は、一度市場に出荷された場合で、２回目迄の回収ではＧ（＝外装）として、３回目はＮ（＝内装）に使用するよう指示していることを示している。
図４の例は、今回の回収が３回目で、Ｎ（＝内装）に使用するよう指示をしていることを示している。
仮に、部位記号４がＧ（＝外装）であっても、Ｎ（＝内装）、Ｂ（＝黒色部品）あるいはＳ（＝その他）に使用しても問題ない。
また、部位記号４がＮ（＝内装）でも、Ｂ（＝黒色部品）あるいはＳ（＝その他）に使用しても問題ない。
更に、部位記号４がＢ（＝黒色部品）でも、Ｓ（＝その他）に使用しても問題ない。
【０００８】
図５、図６の材料情報表示部には、その樹脂成型品の樹脂材料が次回どのような部位（用途）に使用可能であるかを、その樹脂材料の使用可能期限よって判断できるようにするべく、用途記号４と期限を表す数値とを用いた不等式からなる用途判断基準式１０が表示されている。
図５の例では、期限を表す数値（期限）６で示された期限以内に回収された場合にはＧ（＝外装）として扱い、期限を越えて回収された場合には、Ｎ（＝内装）として扱うことを示している。
図６の例では、作製された日時を示す数値（作成日）７と、その日時からの回収期限を示す数値（期限）８とによって期限が表示されている。＋３は作製された日から回収された日まで３年を示しており、２００３年８月３１日以内に回収された物であればＧ（＝外装）、この期限を越えた物についてはＮ（＝内装）に使用することを示している。
このように、樹脂成型品に、材質分類記号１、グレード記号２、色番号３、部位記号４、使用回数記号５および用途判断基準式１０を付しておくことにより、回収した樹脂製品をグレード別、色別、部位別等に分別を行い、リサイクルの工程を効率的に行うことができるようになる。
【０００９】
図７は本発明にかかる樹脂リサイクルシステムの説明図である。本発明にかかる樹脂リサイクルシステムでは、回収された部品２１〜２３、３１〜３３に表示されている情報をもとに、分類担当者が分類を行い、例えば分類毎の回収ボックス４１〜４３、５１〜５３に入れる。分別種類ごとに分類された部品２１〜２３、３１〜３３は原材料工程に持ち込まれリサイクル部品成型用の原材料にするための原材料化工程に移行される。
【００１０】
【発明の効果】
以上説明したように本発明の樹脂成型品は、その樹脂成型品の材質、グレード、色が何であるかを示す記号とともに、その樹脂成型品の樹脂材料が次回どのような用途に使用可能であるかを示す用途記号を表示した材料情報表示部を有しているので、回収した樹脂成型品をグレード別、色別、用途別等に容易且つ適切に分別して原料化工程に引き渡すことができる。したがって、回収した樹脂成型品を最適な形で再利用することができるとともに、リサイクル効率を向上させることができる。
【図面の簡単な説明】
【図１】本発明にかかる樹脂成型品の材料情報表示部の表示例を示す平面図である。
【図２】用途記号（部位記号）と用途との対応関係を例示した図である。
【図３】材料情報表示部の別の表示例を示す平面図である。
【図４】材料情報表示部の別の表示例を示す平面図である。
【図５】材料情報表示部の別の表示例を示す平面図である。
【図６】材料情報表示部の別の表示例を示す平面図である。
【図７】本発明にかかる樹脂リサイクルシステムの説明図である。
【符号の説明】
１：材質分類記号、２：グレード記号、３：色番号（何色かを示す記号）、４：部位記号（用途記号）、５：使用回数記号、６：期限を表す数値、７：作製された日時を示す数値、８：作成日からの回収期限を示す数値、９：使用回数記号、１０：用途判断基準式、２１〜２３：部品（樹脂成型品）、３１〜３３：部品（樹脂成型品）、４１〜４３：回収ボックス、５１〜５３：回収ボックス
【図１】
0004050471.tif 000002
【図２】
0004050471.tif 000003
【図３】
0004050471.tif 000004
【図４】
0004050471.tif 000005
【図５】
0004050471.tif 000006
【図６】
0004050471.tif 000007
【図７】
0004050471.tif 000008